(57)【要約】【課題】エレベータの乗りかごの昇降路内へ侵入した侵入水が、当該乗りかごの上側面に配置されたかご上機器に落下することをより確実に防ぐ。【解決手段】乗りかご１４の上側面に配置されたかご上機器２０の上には、防水ユニット２２が配置される。防水ユニットは、収縮状態の防水シート５８が収納された防水シート収納箱４０、及び防水シート収納箱４０の下方に設けられたフレーム４２を含む。複数の水検出センサ２４がフレーム４２に設けられる。複数の水検出センサ２４のいずれかが昇降路１２に侵入した侵入水を検出すると、防水シート５８は、防水シート収納箱４０から開放されフレーム４２に沿って広がる。フレーム４２は、防水シート５８を拡張状態において保持する。【選択図】図１
2017137162.tif 000002
【特許請求の範囲】
【請求項１】
エレベータの乗りかごの昇降路内へ侵入して前記乗りかごの上側面に配置されたかご上機器に落下する侵入水を検出する水検出センサと、
前記かご上機器の上方に配置され、前記かご上機器への前記侵入水の落下を防止するための防水ユニットと、
を備え、
前記防水ユニットは、
防水シートを収縮状態において保持する防水シート保持部と、
前記水検出センサが前記侵入水を検出した場合に、前記防水シートを前記収縮状態から拡張状態へと遷移させる防水シート拡張手段と、
前記防水シートを前記拡張状態において保持するフレームと、
を含む、
ことを特徴とするエレベータ用のかご上機器防水システム。
【請求項２】
前記フレームは、
前記防水シート保持部の下方に配置された枠体と、
前記枠体から前記防水シート保持部へ向かって伸びる複数の梁部と、
を有する、
ことを特徴とする、請求項１に記載のエレベータ用のかご上機器防水システム。
【請求項３】
前記複数の梁部の上側面には、前記複数の梁部に落下した前記侵入水を前記枠体へ向かって流すための傾斜溝が設けられ、
前記枠体の上側面には、前記傾斜溝に連結され、前記傾斜溝からの前記侵入水を受ける受水溝が設けられ、
前記水検出センサは、前記受水溝内に設けられる、
ことを特徴とする、請求項２に記載のエレベータ用のかご上機器防水システム。
【請求項４】
前記防水ユニットは、前記乗りかごに対して上下方向に移動可能である、
ことを特徴とする、請求項１から３のいずれか１項に記載のエレベータ用のかご上機器防水システム。
【請求項５】
前記水検出センサが前記侵入水を検出した際に、前記乗りかごを前記昇降路の最上階まで移動させる乗りかご制御手段、
をさらに備えることを特徴とする、請求項１から４のいずれか１項に記載のエレベータ用のかご上機器防水システム。
【発明の詳細な説明】
【技術分野】
【０００１】
本発明は、エレベータ用のかご上機器防水システムに関する。
【背景技術】
【０００２】
エレベータの乗りかごの上側面には、様々な電子機器（かご上機器）が設けられることがある。かご上機器は、例えば、乗りかごの扉を開閉するための扉開閉装置、停電時に停電灯を点灯させるための電源部、緊急時連絡装置のための電源部、あるいは、乗りかごの扉開閉などの制御を行うための電子機器などである。  
【０００３】
乗りかごが昇降する昇降路の天井からの水漏れ、あるいは乗りかごへの昇降口からの水漏れにより、昇降路内に水（侵入水）が侵入することがある。このような侵入水がかご上機器に落下してかご上機器が濡れることにより、漏電、ヒューズ断線、あるいは基板の不具合などが生じ、かご上機器が故障するおそれがある。かご上機器が故障すると、乗りかごが動かなくなったり、乗りかごの扉の開閉が不可になったり、あるいは乗りかご内に水漏れが生じたりするおそれがある。
【０００４】
従来、乗りかごの昇降路内に侵入水が侵入するのを防ぐ技術が提案されている。例えば、特許文献１及び２には、乗りかごの昇降口にシャッターあるいは防水シートなどの防水手段を設けることで、昇降口から昇降路内への水漏れを防止する技術が開示されている。また、特許文献３には、乗りかごの天井部分にかご上機器に風を送るための送風装置を設け、かご上機器に付着した水分を当該送風装置からの風によって乾燥させることで、侵入水に起因するかご上機器の故障を防止する技術が開示されている。
【先行技術文献】
【特許文献】
【０００５】
【特許文献１】特開２００２−４６９６６号公報
【特許文献２】特開平９−１０４５８０号公報
【特許文献３】特開２００９−１９０８４３号公報
【発明の概要】
【発明が解決しようとする課題】
【０００６】
例えば特許文献１及び２に記載のように、昇降口に防水手段を設けた場合、侵入水が昇降口から昇降路内へ侵入することを防ぐことはできるが、昇降路の天井からの水漏れなどのように、昇降口以外から昇降路へ侵入する侵入水を防ぐことはできない。また、例えば特許文献３に記載のように、かご上機器に付着した水分を乾燥させることでかご上機器の故障を防止する方法は、かご上機器に付着した水分が比較的少量である場合に有効であるが、乾燥しきれない程の大量の水がかご上機器に落下する場合も考えられる。
【０００７】
以上を鑑みて、昇降路内へ侵入した侵入水がかご上機器に落下することをより確実に防ぐ技術が求められている。
【０００８】
本発明の目的は、エレベータの乗りかごの昇降路内へ侵入した侵入水が、当該乗りかごの上側面に配置されたかご上機器に落下することをより確実に防ぐことにある。
【課題を解決するための手段】
【０００９】
本発明に係るエレベータ用のかご上機器防水システムは、エレベータの乗りかごの昇降路内へ侵入して前記乗りかごの上側面に配置されたかご上機器に落下する侵入水を検出する水検出センサと、前記かご上機器の上方に配置され、前記かご上機器への前記侵入水の落下を防止するための防水ユニットと、を備え、前記防水ユニットは、防水シートを収縮状態において保持する防水シート保持部と、前記水検出センサが前記侵入水を検出した場合に、前記防水シートを前記収縮状態から拡張状態へと遷移させる防水シート拡張手段と、前記防水シートを前記拡張状態において保持するフレームと、を含むことを特徴とする。
【００１０】
望ましくは、前記フレームは、前記防水シート保持部の下方に配置された枠体と、前記枠体から前記防水シート保持部へ向かって伸びる複数の梁部と、を有する。
【００１１】
望ましくは、前記複数の梁部の上側面には、前記複数の梁部に落下した前記侵入水を前記枠体へ向かって流すための傾斜溝が設けられ、前記枠体の上側面には、前記傾斜溝に連結され、前記傾斜溝からの前記侵入水を受ける受水溝が設けられ、前記水検出センサは、前記受水溝内に設けられる。
【００１２】
望ましくは、前記防水ユニットは、前記乗りかごに対して上下方向に移動可能である。
【００１３】
望ましくは、前記水検出センサが前記侵入水を検出した際に、前記乗りかごを前記昇降路の最上階まで移動させる乗りかご制御手段、をさらに備える。
【発明の効果】
【００１４】
本発明によれば、エレベータの乗りかごの昇降路内へ侵入した侵入水が、当該乗りかごの上側面に配置されたかご上機器に落下することをより確実に防ぐことができる。
【図面の簡単な説明】
【００１５】
【図１】本実施形態に係るエレベータ用のかご上機器防水システムが組み込まれたエレベータシステムの構成概略図である。
【図２】防水ユニットの構成概略図である。
【図３】防水シートフレームが有する枠体及び梁部の垂直断面図である。
【図４】防水シート収納箱の拡大斜視図である。
【図５】防水ユニットが乗りかごに対して上下運動する様子を示す図である。
【図６】収縮状態の場合と拡張状態の場合との防水シートの様子を示す斜視図である。
【発明を実施するための形態】
【００１６】
以下、本発明の好適な実施形態を図面に基づいて説明する。図１には、本実施形態に係るエレベータ用のかご上機器防水システムが組み込まれたエレベータシステム１０の構成概略図が示されている。
【００１７】
エレベータシステム１０は、昇降路１２内において昇降可能な乗りかご１４、乗りかご１４との重さのバランスを取るためのカウンターウェイト１６、一端が乗りかご１４に接続され、他端がカウンターウェイト１６に接続された主ロープ１８、乗りかご１４の上側面に設けられるかご上機器２０、乗りかご１４の上方に配置される防水ユニット２２、防水ユニット２２に取り付けられた水検出センサ２４、機械室２６に設置され、主ロープ１８を駆動するための巻き上げ機２８、同じく機械室２６に設置され、乗りかご１４内に設けられた操作パネルから乗客により入力される行き先情報、あるいは各階に設けられた操作パネルから乗客により入力される呼び情報などに基づいて巻き上げ機２８を制御して乗りかご１４を昇降させる制御盤３０、を含んで構成される。
【００１８】
かご上機器２０には、上述の通り、乗りかご１４の扉を開閉するための扉開閉装置、停電時に停電灯を点灯させるための電源部、緊急時連絡装置のための電源部、あるいは、乗りかご１４の扉開閉などの制御を行うための電子機器が含まれるが、これに限られない。かご上機器２０は、作業者がメンテナンス作業を行いやすいように、乗りかご１４の上側面に配置される。
【００１９】
エレベータシステム１０が有する上記構成要素のうち、かご上機器防水システムとしては、防水ユニット２２、水検出センサ２４、巻き上げ機２８、及び制御盤３０を含んで構成される。
【００２０】
防水ユニット２２は、侵入水がかご上機器２０に落下することを防ぐために設けられるものであり、乗りかご１４の上方に配置される。防水ユニット２２は、主ロープ１８に固定可能であり、これにより主ロープ１８が駆動することで乗りかご１４と共に昇降可能である。防水ユニット２２は、後述のように、水平方向に広がり、防水シートを保持するためのフレームを有する。防水ユニット２２は、当該フレームが少なくともかご上機器２０の上方をカバーするように配置される。本実施形態においては、当該フレームは、乗りかご１４の全体をカバーするサイズとなっている。防水ユニット２２の詳細については後述する。
【００２１】
水検出センサ２４は、昇降路１２内に侵入し、かご上機器２０に落下する侵入水を検出するものである。このような侵入水としては、各階の昇降口から漏れてくる侵入水３２や、昇降路１２の天井から漏れてくる侵入水３４などが挙げられる。好適には、水検出センサ２４は複数設けられる。
【００２２】
水検出センサ２４としては、例えば、２つの電極を備え、２つの電極間に侵入水が介在して２つの電極間に流れる電流を検出して侵入水を検出する電気抵抗式のセンサを用いることができる。あるいは、光源及び受光部を有しており、侵入水の界面における反射により光源からの光の屈折角度が変動したことを検出して侵入水を検出する光屈折式のセンサなどを用いることができる。水検出センサ２４は、侵入水を検出した場合に検出信号を出力する。
【００２３】
後述のように、本実施形態においては、水検出センサ２４は防水ユニット２２に取り付けられているが、かご上機器２０に落下する侵入水を好適に検出できる限りにおいて、水検出センサ２４は、それ以外の場所に設置されてもよい。
【００２４】
以下、図２〜図４を用いて、防水ユニット２２の具体的な構成について説明する。
【００２５】
図２（ａ）には、防水ユニット２２の側面図が、図２（ｂ）には防水ユニット２２の平面図がそれぞれ示されている。防水ユニット２２は、防水シート保持部としての防水シート収納箱４０、及び防水シート収納箱４０に接続され、防水シート収納箱４０の下方に設けられるフレーム４２を含んで構成されている。
【００２６】
フレーム４２は、剛体で形成される。例えばアルミあるいはステンレスなどの金属で形成される。フレーム４２は、防水シート収納箱４０の下方において略水平に配置される枠体４４、及び、枠体４４上の複数の位置から防水シート収納箱４０へ向かって斜め上方に伸びる複数の梁部４６とを含んで構成される。これにより、図２（ａ）及び図２（ｂ）に示される通り、フレーム４２の外形形状は四角錐台状となっている。後述の通り、フレーム４２は、防水シート収納箱４０に収納された防水シートが拡張状態となった際に、当該防水シートを拡張状態において保持する骨組として作用するものである。
【００２７】
本実施形態では、枠体４４の外形は平面視において四角形となっているが、枠体４４の形状としてはこれに限られない。また、梁部４６の本数も、枠体４４の形状あるいはサイズなどに応じて適宜設定されてよい。
【００２８】
図３（ａ）には、複数の梁部４６の垂直断面図が示されている。図３（ａ）に示される通り、梁部４６は樋状となっており、つまりその上側面において傾斜溝としての溝４６ａが形成されている。これにより、複数の梁部４６の上に落下した侵入水は、各溝４６ａ内を通って下方（枠体４４の方）に向かって流れることができる。
【００２９】
また、図３（ｂ）に示されるように、梁部４６同様に、枠体４４も樋状となっており、その上側面において受水溝としての溝４４ａが形成される。溝４４ａは、複数の溝４６ａと接続される。これにより、溝４６ａは、溝４４ａから流れ込む侵入水を受けることができる。
【００３０】
なお、本実施形態では、枠体４４及び梁部４６の断面形状は略Ｖ字状となっているが、溝４６ａにおいては、梁部４６上に落下した侵入水を好適に溝４４ａへ流すことができる限りにおいて、また溝４４ａにおいては、好適に侵入水を受けることができる限りにおいて、その他の形状であってもよい。
【００３１】
図２（ｂ）を再度参照して、本実施形態においては水検出センサ２４は複数設けられ、複数の水検出センサ２４は枠体４４に設けられる。好適には、複数の水検出センサ２４は、枠体４４に設けられた溝４４ａ内に設けられる。これにより、枠体４４上に落下した侵入水のみならず、梁部４６上に落下し、溝４６ａを介して溝４４ａ内に流れてくる侵入水をも検出することができる。これにより、侵入水の検出感度が向上する。本実施形態では、梁部４６上に落下した侵入水をより早期に検出する観点から、複数の水検出センサ２４は、溝４４ａのうち、溝４６ａとの合流部近傍に配置される。
【００３２】
図４には、防水シート収納箱４０の拡大斜視図が示されている。図４（ａ）に示される通り、防水シート収納箱４０は、後述の４つの蓋５０が閉状態の場合において、外形形状が略直方体となっている。防水シート収納箱４０は、その上側面の中央部から下側面の中央部まで上下に貫通する孔４０ａを有している。孔４０ａには、主ロープ１８が挿通される。
【００３３】
孔４０ａには、主ロープ１８に対して防水シート収納箱４０（つまり防水ユニット２２）をロックするロック機構（不図示）が設けられている。エレベータシステム１０の管理者などの操作により当該ロック機構によりロックされることで、防水ユニット２２は主ロープ１８に固定される。
【００３４】
また、管理者により当該ロック機構によるロックが解除されることにより、防水ユニット２２が主ロープ１８（すなわち乗りかご１４）に対して上下に移動可能となる（図５参照）。これにより、管理者がかご上機器２０に対してメンテナンスなどを行う場合は、作業の邪魔にならないよう防水ユニット２２を乗りかご１４から上側へ離すことができる。また、メンテナンスなどのかご上機器２０に対する作業が完了した場合は、より確実に侵入水がかご上機器２０に落下するのを防止する観点から、防水ユニット２２を乗りかご１４（かご上機器２０）に近付けて固定することができる。
【００３５】
防水シート収納箱４０の４つの側面には、開閉可能な４つの蓋５０が設けられている。各蓋５０は、防水シート収納箱４０本体の上端部において、トーションバネ付きのヒンジ５２を介して取り付けられている。そのため、各蓋５０はバタフライ式に開閉可能となっている。
【００３６】
各蓋５０には、開状態となる方向に付勢力が働いている。本実施形態においては、各ヒンジ５２が有するトーションバネにより、各蓋５０に対して開状態となる方向に付勢力が付加されている。
【００３７】
一方、防水シート収納箱４０には、上記付勢力に反して、各蓋５０を閉状態に維持するための閉状態維持機構が設けられる。本実施形態においては、このような閉状態維持機構として、各蓋５０の底面に設けられた凹部と、防水シート収納箱４０の底面から上方に突出可能であり、各蓋５０に設けられた凹部に嵌合する４つの突出ピン５４を含んで構成される。各蓋５０の底面に設けられた凹部に、各突出ピン５４が嵌合することで、各蓋５０の閉状態が維持される。
【００３８】
各突出ピン５４は、上下方向において移動可能であり、各突出ピン５４が下方向に移動し、各蓋５０に設けられた凹部から引き抜かれると、各ヒンジ５２が有するトーションバネの付勢力により、各蓋５０が図４（ｂ）に示すような開状態へと遷移する。各突出ピン５４は、複数の水検出センサ２４に電気的に接続されており、複数の水検出センサ２４が出力する検出信号に基づいて下方向へ移動する。
【００３９】
各蓋５０の内側には、収納部５６がそれぞれ設けられている。各収納部５６には、収縮状態の防水シート５８がそれぞれ収納されている。つまり、防水シート収納箱４０には、４つの防水シート５８が収納されている。後述のように、本実施形態における４つの防水シート５８は、四角錐台状のフレーム４２の４つの側面にそれぞれ対応するものである。本実施形態においては、各防水シート５８は、フレーム４２の側面の形状に応じて、拡張状態において台形状となっている。
【００４０】
各防水シート５８は、防水性及び可撓性を有する材質で形成される。例えば、ビニルあるいはゴムなどで形成される。
【００４１】
各防水シート５８は、各蓋５０が開状態となることで自然に収納部５６から開放されて、後述の拡張状態となるような態様で収納部５６内に収容される。本実施形態では、台形状の各防水シート５８は、拡張状態における上辺が収納部５６の底面に固定され、その状態から筒状に丸められた収縮状態において収納されている。これにより、各防水シート５８は、各蓋５０が開状態となることで拡張状態に遷移する。
【００４２】
以上の通りであるから、本実施形態においては、防水シート拡張手段としては、各蓋５０、ヒンジ５２、及び各突出ピン５４を含んで構成される。ただし、各蓋５０、ヒンジ５２、及び各突出ピン５４は、防水シート拡張手段としての一例であり、水検出センサ２４からの検出信号に応じて防水シート５８を収縮状態から拡張状態に遷移させる限りにおいて、他の構成が採用されてもよい。
【００４３】
なお、図４（ｂ）は、各蓋５０の開状態の様子と、収縮状態の各防水シート５８の様子を示すための概念図である。各防水シート５８は、各蓋５０が開状態となった後直ちに拡張状態への遷移を開始するため、図４（ｂ）に示された状態は、本実施形態において実際には取り得ない状態である。
【００４４】
以下、図６を参照して、防水ユニット２２の動作について説明する。
【００４５】
図６（ａ）は、複数の水検出センサ２４が侵入水を検出していない状態（以下「通常状態」と記載する）における防水ユニット２２の様子が示されている。通常状態においては、防水シート５８は防水シート収納箱４０に収縮状態において収納されている。つまり、突出ピン５４が防水シート収納箱４０の底面から上方へ突出し、各蓋５０の底面に設けられた凹部へ嵌合していることで、各蓋５０が閉状態となっている。
【００４６】
通常状態において、複数の水検出センサ２４のうちいずれかが侵入水を検出すると、各突出ピン５４は、当該水検出センサ２４からの検出信号に基づいて下方に移動する。これにより、各蓋５０が開状態へと遷移する。それに伴って、各収納部５６に収納されていた各防水シート５８は、収納部５６から開放され、図６（ｂ）に示すようにフレーム４２の各側面に沿って広がる。このとき、広がった各防水シート５８は、フレーム４２により支持されることにより拡張状態が維持される。これにより、侵入水がかご上機器２０に落下することが防止される。好適には、各防水シート５８をより確実に拡張させるために、各防水シート５８の縁部に沿ってエアが流入される通路を設けておき、水検出センサ２４からの検出信号に基づいて当該通路に対して、防水シート収納箱４０内に配置されたコンプレッサなどによりエアを流入させることで、各防水シート５８を広げるようにしてもよい。
【００４７】
好適には、複数の水検出センサ２４は制御盤３０にも電気的に接続される。そして、複数の水検出センサ２４のうちいずれかが侵入水を検出した場合、制御盤３０は、巻き上げ機２８を制御して、乗りかご１４を昇降路１２の最上階まで移動させるようにしてもよい。これによれば、少なくとも、各階の昇降口から漏れてくる侵入水３２（図１参照）がかご上機器２０へ落下することを防ぐことができる。もちろん、各防水シート５８を拡張状態にすると共に、乗りかご１４を最上階へ移動させてもよい。
【００４８】
以上説明した本実施形態によれば、フレーム４２により、各防水シート５８の拡張状態が好適に維持される。そして、各防水シート５８が拡張状態に維持されることで、かご上機器２０の上方は各防水シート５８により覆われた状態となる。これにより、侵入水がかご上機器２０に落下することが確実に防止される。
【００４９】
また、各防水シート５８は、水検出センサ２４が侵入水を検出した場合のみ拡張状態となる。つまり、通常状態において収縮状態が維持されている。これにより、常に各防水シート５８が拡張状態に維持されている場合に比して、通常状態において乗りかご１４の昇降動作の際に空気抵抗が低減される。あるいは、防水シート５８が破損する可能性が低減される。
【００５０】
なお、一度拡張状態となった各防水シート５８は、昇降路１２内への侵入水の侵入を防止するためのメンテナンスを行う管理者などにより、再度収縮状態にされた上で各収納部５６内へ収納されることができる。  
【００５１】
以上、本発明に係る実施形態を説明したが、本発明は上記実施形態に限られるものではなく、本発明の趣旨を逸脱しない限りにおいて種々の変更が可能である。
【符号の説明】
【００５２】
１０  エレベータシステム、１２  昇降路、１４  乗りかご、１６  カウンターウェイト、１８  主ロープ、２０  かご上機器、２２  防水ユニット、２４  水検出センサ、２６  機械室、２８  巻き上げ機、３０  制御盤、３２，３４  侵入水、４０  防水シート収納箱、４０ａ  孔、４２  フレーム、４４  枠体、４４ａ，４６ａ  溝、４６  梁部、５０  蓋、５２  ヒンジ、５４  突出ピン、５６  収納部、５８  防水シート。
【図１】
2017137162.tif 000003
【図２】
2017137162.tif 000004
【図３】
2017137162.tif 000005
【図４】
2017137162.tif 000006
【図５】
2017137162.tif 000007
【図６】
2017137162.tif 000008